【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  （ａ）第１規格のＩＣカードであって、
（ａ１）複数の第１外部端子と、
（ａ２）前記複数の第１外部端子のうち所定の外部端子の電位レベルを検出する検出部と、
（ａ３）前記検出部に接続されたモードコントローラと、
（ａ４）前記モードコントローラに接続され、前記第１規格に対応する第１モードインターフェースコントローラおよび第２規格に対応する第２モードインターフェースコントローラと、を有し、
（ｂ）前記第１規格のＩＣカードの外形に対応するスペースを有し、前記第２規格のＩＣカードの外形を有するアダプタであって、
（ｂ１）複数の第２外部端子と、
（ｂ２）前記スペース内に前記第１規格のＩＣカードを挿入した際の前記第１外部端子の当接位置に配置された複数の内部端子と、
（ｂ３）前記第２外部端子と前記内部端子とを接続する配線とを有し、
（ｃ）前記第１規格のＩＣカードが、前記アダプタのスペース内部に、前記アダプタの内部端子と前記ＩＣカードの第１外部端子が接続するように装着された際に、前記第２外部端子を介して前記所定の外部端子に電位レベルが入力され、前記検出部は、前記所定の外部端子に入力された電位レベルに応じた信号を出力し、前記モードコントローラは、前記検出部の信号に基づき前記第２モードインターフェースコントローラを選択する手段を有することを特徴とするＩＣカード。
【請求項２】  （ａ）第１規格のＩＣカードであって、
（ａ１）複数の第１外部端子と、
（ａ２）前記複数の第１外部端子のうち所定の外部端子の電位レベルを検出する検出部と、
（ａ３）前記検出部に接続されたモードコントローラと、
（ａ４）前記モードコントローラに接続され、前記第１規格に対応する第１モードインターフェースコントローラ、第２規格に対応する第２モードインターフェースコントローラおよび第３規格に対応する第３モードインターフェースコントローラと、を有し、
（ｂ）前記第１規格のＩＣカードの外形に対応するスペースを有し、前記第２規格のＩＣカードの外形を有する第１のアダプタであって、
（ｂ１）複数の第２外部端子と、
（ｂ２）前記スペース内に前記第１規格のＩＣカードを挿入した際の前記第１外部端子の当接位置に配置された複数の内部端子と、
（ｂ３）前記第２外部端子と前記内部端子とを接続する配線とを有し、
（ｃ）前記第１規格のＩＣカードの外形に対応するスペースを有し、前記第３規格のＩＣカードの外形を有する第２のアダプタであって、
（ｃ１）複数の第３外部端子と、
（ｃ２）前記スペース内に前記第１規格のＩＣカードを挿入した際の前記第１外部端子の当接位置に配置された複数の内部端子と、
（ｃ３）前記第３外部端子と前記内部端子とを接続する配線とを有し、
（ｄ）前記第１規格のＩＣカードが、前記第１のアダプタのスペース内部に、前記第１のアダプタの内部端子と前記ＩＣカードの第１外部端子が接続するように装着された際に、前記第２外部端子を介して前記所定の外部端子に電位レベルが入力され、前記検出部は、前記所定の外部端子に入力された電位レベルに応じた信号を出力し、前記モードコントローラは、前記検出部の信号に基づき前記第２モードインターフェースコントローラを選択する手段を有し、
（ｅ）前記第１規格のＩＣカードが、前記第２のアダプタのスペース内部に、前記第２のアダプタの内部端子と前記ＩＣカードの第１外部端子が接続するように装着された際に、前記第３外部端子を介して前記所定の外部端子に電位レベルが入力され、前記検出部は、前記所定の外部端子に入力された電位レベルに応じた信号を出力し、前記モードコントローラは、前記検出部の信号に基づき前記第２モードインターフェースコントローラを選択する手段を有することを特徴とするＩＣカード。
【請求項３】  前記検出部は、プルダウン電位もしくはプルアップ電位を検出する手段を有することを特徴とする請求項２記載のＩＣカード。
【請求項４】  前記第１規格は、マルチメディアカード規格、前記第２規格は、メモリースティック規格、前記第３規格は、ＵＳＢ規格であることを特徴とする請求項２記載のＩＣカード。
【請求項５】  前記第１モードインターフェースコントローラは、少なくとも２以上のビットモードを有し、前記複数の外部端子のいずれかにコマンド信号を伝送した際の応答によって、前記ビットモードの切り替えを行うことを特徴とする請求項２記載のＩＣカード。
【請求項６】  前記少なくとも２以上のビットモードのうち、一のビットモードは、ＳＤカード規格に対応することを特徴とする請求項５記載のＩＣカード。
【請求項７】  第１規格のＩＣカードの外形に対応するスペースを有し、第２規格のＩＣカードの外形を有するアダプタであって、
（ａ）複数の第１外部端子と、
（ｂ）前記スペース内に前記第１規格のＩＣカードを挿入した際の前記第１規格のＩＣカードの複数の第２外部端子の当接位置に配置された複数の内部端子と、
（ｃ）前記第１外部端子と前記内部端子とを接続する配線と、
（ｄ）前記複数の第１外部端子のうち、駆動電位もしくは接地電位が印加される前記第１外部端子と前記内部端子との間に接続された抵抗と、
を有することを特徴とするアダプタ。
【請求項８】  前記アダプタは、さらに、
（ｅ）前記抵抗が接続された前記第１外部端子と他の前記第１外部端子との間に機械的スイッチを有することを特徴とする請求項７記載のアダプタ。
【請求項９】  前記複数の内部端子は、その平面形状が略矩形状で、前記第１規格のＩＣカードの挿入方向にその長辺が延在するよう配置されることを特徴とする請求項７記載のアダプタ。
【請求項１０】  前記複数の内部端子は、前記第１規格のＩＣカードの挿入方向に沿った前記内部端子の断面が山形になるように加工されていることを特徴とする請求項７記載のアダプタ。
【請求項１１】  前記第１外部端子と前記内部端子との間には、半導体チップが接続されていないことを特徴とする請求項７記載のアダプタ。
【請求項１２】  前記アダプタは、
（ｅ）前記抵抗を有さず、
（ｆ）前記第１外部端子と前記内部端子との間に接続された半導体チップを有し、
前記半導体チップには、前記第２規格のＩＣカードの書き込みや読み出しに用いる回路は形成されていないことを特徴とする請求項７記載のアダプタ。
【請求項１３】  前記第１規格は、マルチメディアカード規格、前記第２規格は、メモリースティック規格であることを特徴とする請求項７記載のアダプタ。
【請求項１４】  第１規格のＩＣカードの外形に対応するスペースを有するアダプタであって、
（ａ）ＵＳＢ規格に対応する複数の第１外部端子と、
（ｂ）前記スペース内に前記第１規格のＩＣカードを挿入した際の前記第１規格のＩＣカードの複数の第２外部端子の当接位置に配置された複数の内部端子と、
（ｃ）前記第１外部端子と前記内部端子とを接続する配線と、
（ｄ）前記複数の第１外部端子のうち、駆動電位もしくは接地電位が印加される前記第１外部端子と前記内部端子との間に接続された抵抗と、
を有することを特徴とするアダプタ。
【請求項１５】  前記複数の内部端子は、その平面形状が略矩形状で、前記第１規格のＩＣカードの挿入方向にその長辺が延在するよう配置されることを特徴とする請求項１４記載のアダプタ。
【請求項１６】  前記複数の内部端子は、前記第１規格のＩＣカードの挿入方向に沿った前記内部端子の断面が山形になるように加工されていることを特徴とする請求項１４記載のアダプタ。
【請求項１７】  前記第１外部端子と前記内部端子との間には、半導体チップが接続されていないことを特徴とする請求項１４記載のアダプタ。
【請求項１８】  前記アダプタは、
（ｅ）前記抵抗を有さず、
（ｆ）前記第１外部端子と前記内部端子との間に接続された半導体チップを有し、
前記半導体チップには、前記ＵＳＢ規格における書き込みや読み出しに用いる回路は形成されていないことを特徴とする請求項１４記載のアダプタ。
【請求項１９】  前記第１規格は、マルチメディアカード規格であることを特徴とする請求項１４記載のアダプタ。
【請求項２０】  第１規格のＩＣカードの外形に対応するスペースを有し、ＳＤカード規格のＩＣカードの外形を有するアダプタであって、
（ａ）複数の第１外部端子と、
（ｂ）前記スペース内に前記第１規格のＩＣカードを挿入した際の前記第１規格のＩＣカードの複数の第２外部端子の当接位置に配置された複数の内部端子と、
（ｃ）前記第１外部端子と前記内部端子とを接続する配線と、
を有することを特徴とするアダプタ。
【請求項２１】  前記複数の内部端子は、その平面形状が略矩形状で、前記第１規格のＩＣカードの挿入方向にその長辺が延在するよう配置されることを特徴とする請求項２０記載のアダプタ。
【請求項２２】  前記複数の内部端子は、前記第１規格のＩＣカードの挿入方向に沿った前記内部端子の断面が山形になるように加工されていることを特徴とする請求項２０記載のアダプタ。
【請求項２３】  前記第１外部端子と前記内部端子との間には、半導体チップが接続されていないことを特徴とする請求項２０記載のアダプタ。
【請求項２４】  前記第１規格は、マルチメディアカード規格であることを特徴とする請求項２０記載のアダプタ。
【請求項２５】  （ａ）第１規格のＩＣカードであって、
（ａ１）複数の第１外部端子と、
（ａ２）前記複数の第１外部端子のうち所定の外部端子の電位レベルを検出する検出部と、
（ａ３）前記検出部に接続されたモードコントローラと、
（ａ４）前記モードコントローラに接続され、前記第１規格に対応する第１モードインターフェースコントローラ、第２規格のＩＣカードの前記第２規格に対応する第２モードインターフェースコントローラおよび端子規格である第３規格に対応する第３モードインターフェースコントローラと、を有し
（ｂ）前記第１規格のＩＣカードの外形に対応するスペースを有し、前記第２規格のＩＣカードの外形を有するアダプタであって、
（ｂ１）複数の第２外部端子と、
（ｂ２）前記スペース内に前記第１規格のＩＣカードを挿入した際の前記第１外部端子の当接位置に配置された複数の内部端子と、
（ｂ３）前記第２外部端子と前記内部端子とを接続する配線と、
（ｂ４）前記複数の第２外部端子のうち、駆動電位もしくは接地電位が印加される前記第２外部端子と前記内部端子との間に接続された抵抗と、
を有するアダプタに装着された際に、
（ｃ）前記検出部は、前記抵抗に接続された前記第２外部端子と接続され、前記抵抗によって変化した電位を検出し、
（ｄ）前記モードコントローラは、前記検出部の検出結果に基づき前記第２モードインターフェースコントローラを選択することを特徴とするＩＣカード。
【請求項２６】  前記第１規格は、マルチメディアカード規格、前記第２規格は、メモリースティック規格、前記第３規格は、ＵＳＢ規格であることを特徴とする請求項２５記載のＩＣカード。
【請求項２７】  （ａ）第１規格のＩＣカードであって、
（ａ１）複数の第１外部端子と、
（ａ２）前記複数の第１外部端子のうち所定の外部端子の電位レベルを検出する検出部と、
（ａ３）前記検出部に接続されたモードコントローラと、
（ａ４）前記モードコントローラに接続され、前記第１規格に対応する第１モードインターフェースコントローラ、第２規格のＩＣカードの前記第２規格に対応する第２モードインターフェースコントローラおよび端子規格である第３規格に対応する第３モードインターフェースコントローラと、を有し
（ｂ）前記第１規格のＩＣカードの外形に対応するスペースを有し、前記第３規格の端子部を有するアダプタであって、
（ｂ１）前記端子部に設けられた複数の第２外部端子と、
（ｂ２）前記スペース内に前記第１規格のＩＣカードを挿入した際の前記第１外部端子の当接位置に配置された複数の内部端子と、
（ｂ３）前記第２外部端子と前記内部端子とを接続する配線と、
（ｂ４）前記複数の第２外部端子のうち、駆動電位もしくは接地電位が印加される前記第２外部端子と前記内部端子との間に接続された抵抗と、
を有するアダプタに装着された際に、
（ｃ）前記検出部は、前記抵抗に接続された前記第２外部端子と接続され、前記抵抗によって変化した電位を検出し、
（ｄ）前記モードコントローラは、前記検出部の検出結果に基づき前記第３モードインターフェースコントローラを選択することを特徴とするＩＣカード。
【請求項２８】  前記第１規格は、マルチメディアカード規格、前記第２規格は、メモリースティック規格、前記第３規格は、ＵＳＢ規格であることを特徴とする請求項２７記載のＩＣカード。